(57)【要約】【課題】ネットワークに接続する際の複雑な情報を簡単なＩＤ情報で自動生成し、検索し、自動接続を行うことができるネットワーク自動接続装置を提供することを目的とする。【解決手段】任意の文字列を入力し、入力された文字列から所定の演算処理を行って作成したネットワーク識別情報とセキュリティ情報を生成する文字入力生成回路１０４と、文字入力生成回路１０４で生成されたネットワーク識別情報が、現在のネットワーク上に存在するかどうかの検出を行うネットワーク検出回路１０６と、ネットワーク検出回路１０６で検出した結果に応じて、該当ネットワークが存在していることを検出した場合は、該当ネットワークに自動接続するネットワーク接続回路１０７で構成されたネットワーク自動接続装置。【選択図】図１
2011109550.tif 000002
【特許請求の範囲】
【請求項１】
任意のネットワークに接続し、データ通信可能なネットワーク接続装置であって、
任意の文字列を入力し、入力された前記文字列を、所定の演算係数に応じてネットワーク識別情報とセキュリティ情報を生成する文字入力生成手段と、
前記文字入力生成手段で生成された前記ネットワーク識別情報と、前記セキュリティ情報をもとに、ネットワーク上に存在するネットワーク情報から該当するネットワーク情報の有無を検出するネットワーク検出手段と、
前記ネットワーク検出手段で検出した結果をもとに、該当するネットワークが存在することを検出した場合、前記ネットワーク識別情報と前記セキュリティ情報のネットワークに接続するネットワーク接続手段を有し、
入力された前記文字列をもとに、関連するネットワークを自動検出し、自動接続することを特徴とするネットワーク自動接続装置。
【請求項２】
文字入力生成手段は、文字列を入力する文字入力手段と、
前記文字列を、所定の演算処理を行うための係数情報を生成する係数生成手段と、
前記文字入力手段で入力された前記文字列と、前記係数生成手段で生成された前記係数情報をもとに、識別ＩＤ基礎データ手段で生成される識別ＩＤ基礎データを所定演算して前期ネットワーク識別情報を生成するための識別ＩＤ生成手段と、
前記文字入力手段で入力された前記文字列と、前記係数生成手段で生成された前記係数情報をもとに、セキュリティ基礎データ手段で生成されるセキュリティ基礎データを所定演算して前記セキュリティ情報を生成するセキュリティ生成手段を有し、
任意の前記文字列に所定演算を施し、前記文字列に関連するネットワーク識別情報と前記文字列に関連するセキュリティ情報を生成することを特徴とする請求項１記載のネットワーク自動接続装置。
【発明の詳細な説明】
【技術分野】
【０００１】
本発明はネットワーク情報を監視し、所定ＩＤをもとに存在するネットワークから接続するネットワークを検出し、自動でネットワークに接続するネットワーク自動接続装置に関するものである。
【背景技術】
【０００２】
従来、複数の無線端末装置間で通信を行うとき、あらかじめ決められたネットワークの設定を各無線端末で設定したり、または、その都度ユーザーがネットワーク接続に必要な情報を入力したりする方法が一般に採られている（例えば特許文献１参照）。
【０００３】
図７は、従来のネットワーク接続装置の一般的な構成を示すブロック図である。
【０００４】
図７において、ネットワーク検索回路７０４は、送受信アンテナ７０１から存在するネットワーク情報を検索する回路であり、検索結果を識別ＩＤ・セキュリティ設定回路に出力する。
【０００５】
プロファイル設定回路７０５は、使用するネットワーク情報をプロファイル情報として設定する回路であり、接続する識別ＩＤ・セキュリティ情報を入力する必要がある。
【０００６】
識別ＩＤ・セキュリティ設定回路７０６では、ネットワーク検索回路７０４で検索されたネットワーク情報、またはプロファイル設定回路７０５で設定されたプロファイル情報を取得し、接続したいネットワークを選択、または設定されたプロファイル情報を選択する。選択されたネットワーク情報、またはプロファイル情報はネットワーク接続回路７０７に入力される。
【０００７】
ネットワーク接続回路７０７では、入力されたネットワーク情報、またはプロファイル情報をもとに接続処理を行う。一般的に、セキュリティ情報などはプロファイル情報として保存しない限り、ネットワークに接続する際に毎回入力する必要がある。
【０００８】
このように行うのが従来の一般的なネットワーク接続方法である。
【先行技術文献】
【特許文献】
【０００９】
【特許文献１】特開２００７−１４３１１７号公報
【発明の概要】
【発明が解決しようとする課題】
【００１０】
しかしながら、上記従来のネットワーク接続方法では、複数の無線端末装置間で通信を行うとき、あらかじめ決められたネットワークの設定を各無線端末で設定しておく必要がある、または通信を行うときに都度ユーザーが毎回設定値を入力する必要があるため、接続したい端末が多く存在する場合や、セキュリティ保護観点で毎回ネットワーク設定を変更する場合、接続設定に時間がかかり、また誤って接続設定を行ったために接続できない状態になるという問題があった。
【００１１】
本発明は、簡単なＩＤ（生成ＩＤ）をもとに、ネットワーク設定、セキュリティ設定などを自動的に作成する手法と、作成されるネットワーク情報を予測し、生成ＩＤを入力するだけで、接続すべきネットワークを検出し、自動接続することで、設定時間や、通信したい無線端末装置を選択しなくても簡単に短時間で接続できるネットワーク自動接続装置を提供することを目的とする。
【課題を解決するための手段】
【００１２】
前記課題を解決するために、本発明のネットワーク自動接続装置は、任意の文字入力情報を基に、共通の情報を持つネットワークを自動検出し接続するネットワーク自動接続装置であって、
任意の文字列を入力し、入力された前記文字列を、所定の演算係数に応じてネットワーク識別情報とセキュリティ情報を生成する文字入力生成手段と、
前記文字入力生成手段で生成された前記ネットワーク識別情報と、前記セキュリティ情報をもとに、ネットワーク上に存在するネットワーク情報から該当するネットワーク情報の有無を検索するネットワーク検索手段と、
前記ネットワーク検索手段で検出した結果をもとに、該当するネットワークが存在することを検出した場合、前記ネットワーク識別情報と前記セキュリティ情報のネットワークに接続するネットワーク接続手段を有し、
また、前記文字入力生成手段は、前記文字列を入力する文字入力手段と、
前記文字列を、所定の演算処理を行うための係数情報を生成する係数生成手段と、
前記文字入力手段で入力された前記文字列と、前記係数生成手段で生成された前記係数情報をもとに、識別ＩＤ基礎データ手段で生成される識別ＩＤ基礎データを所定演算して前期ネットワーク識別情報を生成するための識別ＩＤ生成手段と、
前記文字入力手段で入力された前記文字列と、前記係数生成手段で生成された前記係数情報をもとに、セキュリティ基礎データ手段で生成されるセキュリティ基礎データを所定演算して前記セキュリティ情報を生成するセキュリティ生成手段を有することを特徴とするものである。
【発明の効果】
【００１３】
本発明は、任意の簡単なＩＤ（生成ＩＤ：日付や番号）を入力するだけで、生成されるネットワーク情報を予測し、ネットワークが存在していれば、そのネットワーク設定を行い自動接続する。または生成ＩＤから独自のネットワークを構築することで、毎回違う生成ＩＤのもとセキュリティを考慮したネットワーク構築を行うことができ、また簡単に無線端末装置間の接続が確実に行うことができるようになる。
【図面の簡単な説明】
【００１４】
【図１】本発明の一実施の形態のネットワーク自動接続装置の構成を示すブロック図
【図２】本発明の一実施の形態のネットワーク自動接続装置の文字入力生成回路の構成を示すブロック図
【図３】本発明の一実施の形態のネットワーク自動接続装置のネットワーク検出回路の構成を示すブロック図
【図４】本発明の一実施の形態のネットワーク自動接続装置のネットワーク接続回路の構成を示すブロック図
【図５】本発明の一実施の形態のネットワーク自動接続装置の文字入力生成回路の動作を説明する動作説明図
【図６】本発明の一実施の形態のネットワーク自動接続装置の動作を説明するための動作説明図
【図７】従来のネットワーク接続装置の構成を示すブロック図
【発明を実施するための形態】
【００１５】
本発明の実施の形態について以下図を用いて説明する。
【００１６】
（実施の形態１）
図１は本発明の一実施の形態のネットワーク自動接続装置の構成を示すブロック図である。
【００１７】
このネットワーク自動接続装置は、端末間通信用送受信アンテナ１０１を使用して各端末（図ではホスト端末、情報端末Ａ，Ｂで示す）間の通信を行う装置であり、ホスト端末１０２は、任意の文字列（例えばＡＢＣ）を文字入力生成回路１０４に入力する。
【００１８】
文字入力生成回路１０４では入力された文字列ＡＢＣに応じて所定の処理を行い、ネットワーク識別情報およびセキュリティ情報を生成する。生成されたネットワーク識別情報およびセキュリティ情報はネットワーク識別ＩＤ生成回路１０５に入力される。
【００１９】
ネットワーク識別ＩＤ生成回路１０５では、入力されたネットワーク識別情報およびセキュリティ情報をもとにネットワークを構築する。
【００２０】
情報端末１０３Ａ（Ｂは同じ構成のため説明は省略）は、任意の文字列ＡＢＣ（ホスト端末で使用したものと同じ文字列）を文字入力生成回路１０４に入力する。
【００２１】
文字入力生成回路１０４では、入力された文字列ＡＢＣに応じて所定の処理を行い、ネットワーク識別情報およびセキュリティ情報を生成する。生成されたネットワーク識別情報およびセキュリティ情報はネットワーク検出回路１０６およびネットワーク接続回路１０７に入力される。
【００２２】
ネットワーク検出回路１０６では、入力されたネットワーク識別情報およびセキュリティ情報が現在のネットワークに存在するかどうかを判定し、判定結果をネットワーク接続回路１０７に出力する。
【００２３】
ネットワーク接続回路１０７では、ネットワーク検出回路１０６の判定結果に応じて、該当ネットワークが存在すると判定されたとき、文字入力生成回路１０４で生成されたネットワーク識別情報およびセキュリティ情報をもとにネットワーク接続を行う。
【００２４】
図２は本発明の一実施の形態のネットワーク自動接続装置の文字入力生成回路１０４の構成を示すブロック図である。
【００２５】
同図において、文字入力回路２０１は任意の文字列ＡＢＣを入力する回路であり、入力された文字列は識別ＩＤ生成回路２０３およびセキュリティ生成回路２０４に出力する。
【００２６】
係数生成回路２０２は、文字入力回路２０１に入力された文字列ＡＢＣに対し、所定の処理を行うための係数情報を生成する回路であり、生成された係数情報は識別ＩＤ生成回路２０３およびセキュリティ生成回路２０４に出力される。
【００２７】
識別ＩＤ生成回路２０３では、文字入力回路２０１で入力された文字列ＡＢＣを、係数生成回路２０２で生成された係数情報をもとに識別ＩＤ基礎データ２０５に所定の処理を行い、文字列ＡＢＣに関連したネットワーク識別情報を生成する。
【００２８】
セキュリティ生成回路２０４では、文字入力回路２０１から入力された文字列ＡＢＣと、係数生成回路２０２で生成された係数情報をもとにセキュリティ基礎データ２０６のセキュリティ基礎データに所定の処理を行い、文字列ＡＢＣに関連したセキュリティ情報を生成する。
【００２９】
図３は本発明の一実施の形態のネットワーク自動接続装置のネットワーク検出回路１０６の構成を示すブロック図である。
【００３０】
同図において、ネットワーク情報取得回路３０２は現在のネットワークのすべての情報を取得する回路であり、取得した結果をネットワーク判別回路３０３に出力する。
【００３１】
ネットワーク判別回路３０３では、端子３０１から入力された情報、すなわち文字入力生成回路１０４で生成されたネットワーク識別情報およびセキュリティ情報と、ネットワーク情報取得回路３０２で取得された情報の比較を行い、一致したネットワークが存在しているかどうかを判別、その結果を出力する。
【００３２】
図４は本発明の一実施の形態のネットワーク自動接続装置のネットワーク接続回路１０７の構成を示すブロック図である。
【００３３】
同図において、端子４０１はネットワーク検出回路１０６の判定結果が入力される端子、端子４０２は、文字入力生成回路１０４で生成されたネットワーク識別情報とセキュリティ情報が入力される端子、識別情報設定回路４０３は、端子４０２から入力されたネットワーク識別情報をネットワーク設定情報に変換する回路であり、変換されたネットワーク識別情報は接続処理回路４０５に入力される。
【００３４】
セキュリティ情報設定回路４０４は端子４０２から入力されたセキュリティ情報をネットワーク設定情報に変換する回路であり、変換されたセキュリティ情報は接続処理回路４０５に入力される。
【００３５】
接続処理回路４０５では、端子４０１から入力されたネットワーク検出回路１０６の判定結果をもとに、該当のネットワークが存在すると判定されたとき、識別情報設定回路４０３およびセキュリティ情報設定回路４０４で変換されたそれぞれの設定情報で該当ネットワークに接続処理を行う。
【００３６】
図５は本発明の一実施の形態のネットワーク自動接続装置の文字入力生成回路１０４およびネットワーク検出回路１０６、ネットワーク接続回路１０７の動作を説明するための動作説明図である。
【００３７】
図２の文字入力回路２０１に、図５（１）の文字入力（図では“ＡＢＣ”で表示）がされたとき、係数生成回路２０２で、同図（２）に示す係数情報が生成される。識別ＩＤ用とセキュリティ用の２種類が生成される（図では識別ＩＤ用として“α１、α２、α３”、セキュリティ用として“β１、β２、β３”として表示）。入力された文字列および係数情報から、識別ＩＤ生成回路２０３およびセキュリティ生成回路２０４で同図（３）に示すように、所定の演算処理を行いネットワーク識別情報とセキュリティ情報を生成する（図では、ネットワーク識別情報“ＤＥＦＧＨＩＪ”、セキュリティ情報“ａｂｃｄｅｆｇ”で示す）。
【００３８】
ネットワーク検出回路１０６で、同図（４）に示すように、たとえば全取得データの中に“ＤＥＦＧＨＩＪ”の情報があった場合、該当ネットワークが存在すると判断し、ネットワーク接続回路１０７で、同図（５）に示すように、ネットワーク識別情報、およびセキュリティ情報を設定し、該当ネットワークに接続処理を行う。
【００３９】
図６は本発明の一実施の形態のネットワーク自動接続装置の動作を説明するための動作説明図である。
【００４０】
同図において、文字列ＡＢＣから生成されるネットワーク“ＤＥＦＧＨＩＪ”が既に存在し、各端末（同図では端末２，３と表示端末で構成）で通信を行っている状態で、端末１が同ネットワークに参加する場合の説明を行っている。
【００４１】
端末１ではユーザーが文字列ＡＢＣを入力（同図（１）で示す）した後、文字入力生成回路１０４でネットワーク識別情報を生成し、ネットワーク検出回路１０６で該当ネットワークが存在するかどうかの判定を行う（同図（２）で示す）。ネットワーク検出回路１０６で該当ネットワークが存在すると判定し、ネットワーク接続回路１０７で該当ネットワークに自動接続する処理を行う。接続完了後、同端末１はネットワーク“ＤＥＦＧＨＩＪ”に参加することができ（同図（３）で示す、図では端末１ａで表示）、各端末間と通信が可能になる。
【産業上の利用可能性】
【００４２】
本発明は、複数の無線端末装置間を接続する場合、簡単なＩＤを入力するだけで、接続したいネットワークを検出、および自動接続を行うことができ、またセキュリティを考慮したネットワーク接続を簡単にできるネットワーク自動接続装置として有用である。
【符号の説明】
【００４３】
１０１  送受信アンテナ
１０２  ホスト端末
１０３  情報端末
１０４  文字入力生成回路
１０５  ネットワーク識別ＩＤ生成回路
１０６  ネットワーク検出回路
１０７  ネットワーク接続回路
２０１  文字入力回路
２０２  係数生成回路
２０３  識別ＩＤ生成回路
２０４  セキュリティ生成回路
２０５  識別ＩＤ基礎データ
２０６  セキュリティ基礎データ
３０２  ネットワーク情報取得回路
３０３  ネットワーク判別回路
４０３  識別情報設定回路
４０４  セキュリティ情報設定回路
４０５  接続処理回路
【図１】
2011109550.tif 000003
【図２】
2011109550.tif 000004
【図３】
2011109550.tif 000005
【図４】
2011109550.tif 000006
【図５】
2011109550.tif 000007
【図６】
2011109550.tif 000008
【図７】
2011109550.tif 000009